(57)【特許請求の範囲】
【請求項１】
カテーテル（１４，１１４）と、
このカテーテルの一端部に取外し可能なように取り付けられ、自身の内側がカテーテルに連通する袋体（３１，１３１）とを有し、
前記袋体は動脈瘤内に挿入されるように構成されるとともに、血液の少なくとも一部の成分を透過可能な材料により形成されており、
少なくとも一つの挿入体（１８）を有し、
その又はそれぞれの挿入体を、前記袋体が動脈瘤内にある状態で且つ前記袋体が前記カテーテルから取り外される前に、前記袋体内に配置するための手段（１１）を備えたことを特徴とする、動脈瘤の治療装置。
【請求項２】
前記袋体（３０，１３１）が、可撓性を有しかつ伸張可能な材料で形成されている請求項１記載の装置。
【請求項３】
前記挿入体配置手段（１１）は、その又はそれぞれの挿入体のためのそれぞれの押込みワイヤーを含む請求項１または２記載の装置。
【請求項４】
前記袋体が一つまたはそれ以上の目印器具（３６，４６；１３６，１４６）を有する請求項１〜３のいずれか１項記載の装置。
【請求項５】
前記一つのまたは各目印器具がリング状をなしている請求項４記載の装置。
【請求項６】
前記袋体は、幅広部分（４２，５０）を有するガイドワイヤー（４０，１４０）を有し、前記幅広部分によって前記目印リングの一つが一方向移動するように規制される、請求項５記載の装置。
【請求項７】
前記袋体は、袋体を動脈瘤内に挿入するためのガイドワイヤー（４０，１４０）を有し、このガイドワイヤーは袋体を通じて延在するとともに袋体から突出する先端（４１，１４１）を有する、請求項１〜５のいずれか１項に記載の装置。
【請求項８】
前記袋体（３１，１３１）の材料が治癒反応を促進するものからなる請求項１〜７のいずれか１項に記載の装置。
【請求項９】
前記袋体（３１，１３１）の材料が凝固を促進するものからなる請求項１〜７のいずれか１項に記載の装置。
【請求項１０】
前記袋体（３１，１３１）の材料が凝固を阻止するものからなる請求項１〜７のいずれか１項に記載の装置。
【請求項１１】
前記袋体（３１，１３１）の材料がナイロンまたは他の合成繊維からなる請求項１〜１０のいずれか１項に記載の装置。
【請求項１２】
前記袋体（３１，１３１）の材料が天然繊維からなる請求項１〜１０のいずれか１項に記載の装置。
【請求項１３】
前記袋体（３１，１３１）が編物材で形成されている請求項１〜１０のいずれか１項に記載の装置。
【請求項１４】
前記袋体（３１，１３１）が織物材で形成されている請求項１〜１０のいずれか１項に記載の装置。
【請求項１５】
前記袋体（３１，１３１）が撚り材で形成されている請求項１〜１０のいずれか１項に記載の装置。
【請求項１６】
前記袋体は、環状または分割環状の部材（３６）を含み、
前記カテーテルはその一端部に若しくはその一端部に隣接して要素（１６）を有し、この要素（１６）には、前記カテーテルに沿って前記要素まで延在する少なくとも一つの電極（４９）が取り付けられ、
前記要素は、間隔をおいて配置された二つまたはそれ以上の支柱（３２）により前記部材と連結されており、
前記支柱は、前記電極に電流が流れたときに電気分解により取り除くことができるようになっている、請求項１〜１５のいずれか１項に記載の装置。
【請求項１７】
前記カテーテルは、その一端部に若しくはその一端部に隣接して、相対的に幅が広い環状または分割環状の部材（１１７）と相対的に幅が狭い要素（１１６）と前記カテーテルに沿って前記要素まで延在する少なくとも一つの電極（５９）とを有し、
前記要素は、間隔をおいて配置された二つまたはそれ以上の支柱（１７２）により前記部材と連結されており、
前記支柱は、前記電極に電流が流れたときに電気分解により取り除くことができるようになっている、請求項１〜１５のいずれか１項に記載の装置。
【請求項１８】
前記袋体（１３１）は、前記要素（１１６）は通過させるが前記部材（１１７）は通過させない、基端リングまたは基端分割リング（１３６）を含む請求項１７記載の装置。
【請求項１９】
前記カテーテルの前記要素（１６，１１６）もまた環状または分割環状をなし、前記部材（３６，１１７）の平面と前記要素の平面とが実質的に平行に維持されるように前記支柱（３２，１７２）が構成されている請求項１６、１７または１８記載の装置。
【請求項２０】
前記挿入体（１８）がコイルである請求項１〜１９のいずれか１項に記載の装置。
【発明の詳細な説明】
【０００１】
【発明の属する技術分野】
本発明は、動脈瘤の治療装置に関し、特に頭蓋内の動脈瘤の血管内治療に使用する装置に関する。
【０００２】
【従来の技術】
先行する２つの特許が類似の装置を開示しているが、それらは患者の血管を遮断するための装置であって、動脈瘤を閉塞するために設計されてはいない。具体的には、米国特許５，３３４，２１０号が、血液の流通を妨げるためのリップストップナイロン製の袋体を含む血管閉塞部品を開示している。この袋体は、所定のダイアモンド形をなしており、したがって動脈瘤に対して適応させるのには不向きなものである。さらに、この袋体の材料は重くかつ伸張しない性質を有しているので、細い頭蓋内の血管を通して導入するのは困難である。ガイドワイヤーは備えておらず、袋体は摩擦によって作動する装置により着脱される。
【０００３】
同様に、国際公開第９６／０１５９１号は、自己膨張する血管閉塞装置を開示している。金属製織物からなる籠状体が予め形成され、折り畳まれてカテーテルを介して通され、当該籠状体に取り付けたガイドワイヤーにより所定部位に配置され、その後、患者の静脈内において膨張される。金属製の本体を通すことは患者に外傷を及ぼすおそれがあるので、籠状体はカテーテルの内側を通して移動させる。
【０００４】
本発明に係る装置は、ググリエルミ（Guglielmi）の着脱可能なコイル装置（ＧＤコイル）を使用するのに特に好適である。このコイル装置は、ググリエルミ・ジー、ヴィヌエラ・エフ、ダックウィラー・ジー、ディオン・ジェイ，「電気的に取外し可能なコイルを用いた後部循環動脈瘤の血管内治療」，ジェイ・神経外科，７７：５１５−５２４，１９９２（Guglielmi G., Vinuela F., Duckwiler G., Dion J., et al, endovascular treatment of posterior circulation aneurysms using electrically detachable coils. J Neurosurgery. 77: 515-524, 1992. ）に開示されている。
【０００５】
頭蓋内動脈壁の弱いところに頭蓋内（脳）嚢状動脈瘤が発生した場合、動脈の側壁にバルーンのような瘤が成長することになる。かかる動脈瘤は非常に重要である。なぜならば、かかる動脈瘤は破裂して脳の表面への出血（クモ膜下出血）を引き起こし易く、その場合外科手術を行わなければ３０％以上の患者が２４時間以内に死に至り、さらに２５〜３０％の患者が次の４週間以内に死に至るからである。
【０００６】
最近まで、脳動脈瘤の一般的な治療方法は、バルーンの首部を縛るように動脈瘤の首部を横切ってクリップする神経外科手術によってなされてきた。ここ１０〜１５年では、動脈瘤閉塞のための血管内技術が発展している。これらの技術は、装置や材料を管（カテーテル）によって親動脈を通り動脈瘤へ送り込み、それらによって血液や血栓の凝固を減少させるとともに、それを効果的に血液循環から除外する、という共通の特質を有している。一般に、カテーテルは鼠径部の大腿動脈を通して挿入されるとともに、その手順がＸ線透視法によって監視される。それゆえ装置は、直接的な目視なしに約１ｍ程の距離をおいて遠隔操作される。１９８０年代中頃においては、動脈瘤閉塞のためラテックスやシリコンラバー製のバルーンが使用されていた。その効果は小さく、かつ死亡率は高かった。その理由は、１．動脈瘤を一つのバルーンにより完全に満たせることがめったになく、２．仮に、二つ以上のバルーンを用いても、満たされない大きなスペースが動脈瘤内に残るに違いなく（一つの球は、それよりも小さい複数の球により完全に満たされることはない）、３．それら一つ又は複数のバルーンによって動脈瘤壁の拡張が起こり易く且つそれを見ることも計測することもできないことにある。
【０００７】
他の者は、不活性金属製（一般的には白金）のソフトコイルを動脈瘤に詰めるとともにその内部の血栓を減少させるために使用して、注目すべき成功を収めている。当初、コイルは自由な状態でカテーテルの中を単純に推し進められ、一度カテーテルから出てしまうと取り戻すことができなかった。そのため、この方法はコントロールが難しく、危険なものであった。
【０００８】
１９９１年になると、コイル技術の重要な進歩であるＧＤコイルが現れ、そしてそれは脳動脈瘤の血管内治療において唯一受け入れられた装置となった。基本的かつ単純な柔らかい白金コイルであるが、それは前述の自由なコイルとは異なって繋がれており、よって使用者がそれを離すことを選ぶまではコントロール可能なものである。
【０００９】
ＧＤコイルは、特に後部頭蓋内循環における動脈瘤に対して非常に有効であることが証明されている。ＧＤコイルは、他の手段により手術不能と考えられるような動脈瘤の治療にもしばしば使用される。
【００１０】
【発明が解決しようとする課題】
しかしながら、ＧＤコイルには次のような問題点がある。
１．大きい（１ｃｍより大）または非常に大きい（２．５ｃｍより大）動脈瘤に対して、相対的に効果に乏しい。
２．治療した動脈瘤の首部を横切って内皮を成長させるのに失敗する。
３．コイルが動脈瘤の広い首部から脱出し、親動脈を塞ぎがちである。
４．コイルが動脈瘤壁を貫通することにより、早期（処置において）または後発的（後の治療において）破裂が起こる。
本発明は、上述の問題点の一つまたはそれ以上を解決若しくは減少することを目的とする。
【００１１】
なお国際公開第９６／１８３４３号は、自身を取り囲むネットを有する塞栓症に用いるコイルを開示している。欧州特許公開公報第０３５２３２５号は、内側および外側バルーンを含む装置、およびそれに貫通孔を形成した装置のいずれも開示している。国際公開第９６／１２３６７号は、電気分解の影響を受け易い捨てリンク手段によって取外しが達成される、塞栓症に用いるコイルを開示している。
【００１２】
【課題を解決するための手段】
本発明の第１の態様としては、カテーテルと、このカテーテルの一端部に取外し可能なように取り付けられた、自身の内側がカテーテルに連通する袋体とを有し、袋体は動脈瘤内に挿入されるように構成され、少なくとも一つの挿入体を有し、その又はそれぞれの挿入体を、袋体が動脈瘤内にある状態で且つ袋体がカテーテルから取り外される前に、袋体内に配置するための手段を備えることを特徴とする、動脈瘤の治療装置が提供される。
【００１３】
袋体は、袋体およびカテーテルの挿入を補助するためのガイドワイヤーを備えるものとできる。また袋体は一つまたはそれ以上の目印リングを有するものとでき、ガイドワイヤーは、目印リングの一つが一方向移動するように規制する肩部を有するものとできる。したがってガイドワイヤーは、軸状をなす第２の部分の端に、幅が狭い第１の端部分を有し、それら第１および第２部分の間に段部または肩部が形成される。一方、第２の部分は長さの短い幅広部、たとえば他の一定の細さの断面を有するガイドワイヤー上に設けた球状部材からなるものとすることもできる。
【００１４】
袋体の材料は、動脈瘤の内部サイズおよび形状に適合するように、ナイロンストッキングのような可撓性を有しかつ伸張可能なものが好適である。袋体の材料は非金属製であり、天然または合成繊維材料により形成することができる。
【００１５】
袋体の材料は、凝固を促進するようなものであっても良いし、あるいはまた凝固を阻止するようなものであっても良い。
【００１６】
袋体は、袋体と、袋体が取外し可能に取り付けられるカテーテルと、ガイドワイヤーとを含むパーツキットの一部として提供されても良い。
【００１７】
本発明の第２の態様としては、一端部または一端部に隣接して要素を有するカテーテルを含み、カテーテルに沿って要素まで延在する少なくとも一つの電極を有する、環状または分割環状の部材を患者内に導入するための装置であって、要素は、間隔をおいて配置された二つまたはそれ以上の支柱により部材と連結されており、支柱は、電極に電流が流れたときに電気分解により取り除くことができるように構成されていることを特徴とする装置が提供される。
【００１８】
好適には、カテーテルの要素もまた環状または分割環状をなし、支柱によって、部材と要素とが相対的に一定の例えばそれらの平面が平行をなす安定した配置を維持させる。
【００１９】
【発明の実施の形態】
以下、添付図面を参照しつつ、具体例によって本発明の好適な実施形態について述べる。
【００２０】
図１に示されるように、従来技術のようにＧＤコイルを単独で使用するときには、各装置１０は、コイル１８がスチール製の押込みワイヤーに対して単独連結により溶接又ははんだ付けされ、ワイヤー１１のはんだ付け接合個所１２は非常に細いものとされる。ワイヤーは、接合個所から約１ｍｍの部位まで電気的に絶縁される。装置１０は、カテーテル１４を通して動脈瘤２０内に導入される。正常な頭蓋動脈は２１で示されている。カテーテル１４の白金製の目印１６と押込みワイヤー１１の白金製の目印１６とが並んだときが、コイル１８が所望の取外し位置にいることを表す。
【００２１】
装置１０が所望の位置に操作されているならば、正の低電圧（約３．５Ｖ）をワイヤーの基端部に加える。負端子は患者の鼠径部にあるアース針に接続される。１ｍＡの電流を通すことにより、押込みワイヤーの末端部が電気分解侵食を生じ、約２分でコイル１８が取り外される。さらに図２に示されるように、コイル１８は動脈内に十分に詰め込まれ、それ以上挿入することができなくなるまで順次挿入される。
【００２２】
図３〜５は、本発明に係る装置３０を示しており、この装置は、２つのスチール製アタッチメント支柱３２を用いてカテーテル１４の末端部に対して取外し可能に取り付けられた、ライナーをなす袋体または封筒状袋体３１を備えるものである。
【００２３】
この態様の基本コンセプトは、ＧＤコイルを挿入する前に袋体３１を動脈瘤２０内に挿入するところにある。
【００２４】
簡単に説明すると、袋体３１は、血液を含む液体が浸透可能な材料によりなる略球形の封筒状袋体である。袋体３１は、動脈瘤２０と同等のサイズ範囲とされる。袋体３１は、カテーテル１４の端部に取り付けられた状態で動脈瘤２０内に挿入され、その中にＧＤコイル１８（または他の物）が挿入される間は、カテーテルに取り付けられたままとされ、動脈瘤壁に接するように膨張される。コイルの塊が出来上がり取り外されたならば、袋体３１は自身を運んだカテーテル１４から取り外され、カテーテルは引込められる。
【００２５】
図５のガイドワイヤー４０は、普通、カテーテルのみを挿入するのに使用されるが、ここではカテーテル端部の袋体３１を動脈瘤２０の位置まで導くためにも使用される。ガイドワイヤーは幅の狭い断面の先端部４１を有し、ワイヤーの残部とともに肩部４２を形成している。先端部４１の長さは約１〜２ｃｍとされ、挿入を補助するためにワイヤー残部よりも曲がり易いものとされている。ワイヤーの横断面は、当該ワイヤー４０が袋体３１の白金製の基端（または南極）目印リング３６を自由に通過するものの、白金製の頂端（または北極）目印リング４６については先端部４１のみが通過可能なように構成されている。かくして、肩部４２によって頂端目印４６が規制され、ガイドワイヤーは袋体３１を挿入しカテーテル１４を取り外すために一方向移動するように動作する。ワイヤー４０の幅広部が袋体を縦軸方向に伸ばし、袋体を相対的に長く且つ狭い形状に保持することによって、挿入が容易となる。これは血管内における操作および動脈瘤内への案内を容易にする。
【００２６】
袋体の基端目印３６とカテーテルの目印１６とが並べば、袋体３１が確実に正確な位置にあることになる。袋体が正確な位置に位置決めされたならば、カテーテル１４に取り付けられた袋体を残して、ガイドワイヤー４０は引込められる。
【００２７】
次に、押込みワイヤー１１にそれぞれ取り付けられたＧＤコイル１８が、公知の方法と同様に、順次、カテーテル１４を伝って導入され、袋体３１内に挿入される。
【００２８】
次に図３に示されるように、袋体は膨張され、動脈瘤の内側にぴったりと合わされる。袋体３１が十分な量詰め込まれ、先のＧＤコイル１８が取り外され、その押込みワイヤーが取り除かれたならば、続いて袋体３１がカテーテル１４から取り外される。カテーテルの取外し機構は、ＧＤコイルアタッチメントのそれを改良したものであり、電気分解による取外しが可能である。袋体はその基部において、白金または他の好適な材料により形成され、直径がカテーテルと等しい小リング（図示していない）に取り付けられている。このリングは、送り込みカテーテルの末端目印リング１６の上に配置され、このリング１６に対し二つの細いスチール製支柱によって取り付けられている。末端目印リング１６は反対側において送り込みカテーテルの壁に埋め込まれた細い電極に接続されている。取り外しは、ＧＤコイルの取り外しと同様の方法で電気分解により行われる。
【００２９】
袋体３１の材料は、局所的な伸張がある程度可能な、非常に細かく編まれた、撚られたまたは織られた生地とされる。袋体は、ガイドカテーテルおよび血管を通して通過させるために、潰れた状態で可能限り嵩張らないようなものとされるが、動脈瘤のサイズ、おそらく３ｃｍ程度まで、設計サイズに到達するまでは著しい抵抗なしに膨張できなければならない。それら編物、撚り物または織物は、コイル１８の先端による貫通力に抵抗するのに十分な程度に目が詰まっているものとされる。好適な材料は５デニールのナイロンである。袋体は、コイル１８を収容し且つ動脈瘤の首部からそれらが抜け出るのを防止するのに十分な強度を有するものとされる。したがって、袋体３１全体は、動脈瘤内に配置され、血管には完全に何もなくなるように構成される。
【００３０】
袋体３１を使用することによって、動脈瘤壁が補強されて動脈瘤破裂の危険性が少なくなり、それら動脈瘤の首部が架橋されるとともにコイルが収容され、コイル１８の挿入が容易となり、コイルが抜け出す可能性も低くなる。またバッグ３１は伸張性材料で形成され自己膨張しないものであり、ほぼ球形をなしているものの、それは詳細にはコイル１８の挿入により個々の動脈瘤の形状に適合する。さらにまた、動脈瘤壁の繊維症を引き起こして、永久的にそれを強化するとともにさらに内皮細胞が動脈瘤の首部を横切って成長するための骨組みを形成し、親血管の正常な血流が回復される。それは、大きな動脈瘤の良好な治療となるとともに、動脈瘤の再成長の可能性も低減させる。
【００３１】
上述の装置に対しては様々な改良を施すことができる。たとえば、図６の改良に示されるように、ガイドワイヤー４０は、幅広な例えばボール型として知られるような短い部分５０を有するものとできる。これは先端４１ガイドワイヤーのシャフトとの間に備えられる。この例では、マイクロカテーテル１４は、支柱３２を電気分解するために、その壁部内に埋め込まれた螺旋状の電極５９を有する。
【００３２】
装置３０の挿入手段は選択的に変更でき、目印リング３６，４６を同径としたり、あるいはカテーテル１４の端部が基端目印３６は通過するものの頂端目印４６は通過しないように構成したりすることができる。
【００３３】
リングの意味は、あらゆる形状のリングを含み、分割リングもまた同様である。
【００３４】
支柱３２は、一つ又は三つまたはそれ以上など、いくつ備えていても良い。機械的な着脱装置や、カテーテル１４の引き抜き若しくはバッグ３１の押し外しによる取り外しの摩擦を利用したアタッチメントを選択して用いることができる。
【００３５】
袋体３１の材料は、タイツを作るのに使用されてきた材料の類型に当てはまるもののうち非常に上質なものを用いることができる。絹などの天然繊維や、ナイロン、ライクラ、ダクロン、テフロンなどの人工繊維が適している。ゴアテックスのような多孔性膜は検討することができる（ゴアテックスは、一般に水をベースとする液体が透過しないと考えられているが、予めアルコールで湿らせておき続いてアルコールを水で置換すれば、水は自由に透過するようになる。プラズマもまた透過できるが、血液の細胞要素は透過できないであろう。）選択された材料は繊維芽細胞または内皮細胞の侵入のための骨組みとして働くのであるが、その生地には他の材料、例えば細胞の成長を促進させるためのコラーゲンや血栓を減らすヘパリンをしみ込ませることが可能である（ライクラ、ダクロン、テフロン、ゴアテックスは登録商標）。
【００３６】
改良の一つとして、バッグを、例えばダクロンシート材を用いて、複数の貫通孔を有するバルーン状に形成することができる。これは、強く、滑らかで、軽くかつコンパクトであるという利点を有する。しかしながら、特別な動脈瘤の形状に対して適合するには弾性が十分でないかもしれない。
【００３７】
電極４９，５９は、撚り形成された電気伝導材をカテーテルの壁部に埋め込むことより形成できる。
【００３８】
図７に示す形態では、装置１３０は、ライナー袋体１３１の南極リング１３６を現実に通過することができる目印リング１１６が一体化されたマイクロカテーテル１１４を有する。リング１３６は、カテーテル１１４の末端部分まで前後に沿って自由に移動できる。南極リング１３６を通過するには幅が広すぎる取外しリング１１７は、電気分解可能な支柱１７２によってカテーテルの目印リングに取り付けられている。ガイドワイヤー１４０のボール１５０は、北極リング１４６を通過するのには幅が広すぎるが、取外しリング１１７、端子目印１１６およびカテーテル１１４を通過する程度には十分に幅が狭くなっているものである。前述のように、ガイドワイヤー１４０は曲がり易い先端部１４１を有している。さらにまた、カテーテル１１４は、必要に応じて支柱１７２を取り除くための、自身の壁部に埋め込まれた電極（図示していない）を有している。
【００３９】
使用する場合、装置１３０は、袋体１３１の内側にリング１１７を有するように組み立てられ、袋体１３１がカテーテルの末端部にだらりと保持される。装置は、袋体１３１、カテーテル１１４およびガイドワイヤー１４０とともに、ほぼ図示の配置で、とはいえ袋体に対して相対的に僅かに前に出た相対的な配置で、動脈瘤へと導かれる。取外しリング１１７は、袋体の北極リング１４６に向かって正確に押し上げられる。
【００４０】
次に、ガイドワイヤー１４０をカテーテルから引き抜き、カテーテルを僅かに引込めその末端が袋体の中心付近に位置させる。続いて、コイル１８をカテーテルを通して動脈瘤内側の袋体内に配置する。袋体が充満するにつれて、カテーテルは南極リング１３６に向かって押し進められるが、リング１１７によってカテーテルが袋体から離れてしまうのは妨げられる。
【００４１】
袋体が充満したならば、支柱１７２を電気分解除去し、リング１１７を取り外す。続いてカテーテル１１４を袋体１３１から引き抜き、患者から取り除く。南極リング１３６によって、コイル１８を含む袋体内側にリング１１７が保持される。それゆえ、リング１１７は適切な材料により形成されなければならない。
【００４２】
本形態の利点は、動脈瘤に向けておよびその中へより容易に導くことが可能であるところにある。また、本形態によると、袋体１３１内へコイル１８を放出する位置をより正確にコントロールできるようになる。
【００４３】
袋体３１，１３１はＧＤコイル以外の要素、例えば異なる形状の要素および／または治癒反応を引き起こす物質を含む若しくは収容する要素により満たすことができる。挿入体は、取外し可能な又は押し込み可能な白金製コイルや、液体として注入され袋体の中で凝固する注入可能な粒子または物質を含むことができる。これらの物質は治癒反応を引き起こさせる生物活性物質を含むこともできるし含まないようにすることもできる。
【００４４】
実際には、袋体３１，１３１は適切な多孔性の適切な材料により形成すれば、袋体を要素１８により満たす必要はなく、動脈瘤内において袋体を膨張させるのには十分かもしれない。さらにまた、袋体は血液の全成分が透過しない性質のものとできるかもしれない。
【００４５】
また、上述の装置は体の他の部位に位置する動脈瘤にたいしても使用することができる。
【００４６】
結論として、好適な袋体の特性のいくつかをまとめると次記に示すようになる。
１．つぶした状態で現状のガイドカテーテルシステムを通るのに十分な小ささ。
２．曲がりくねった血管を通り抜けるのに十分なしなやかさ。
３．ガイドワイヤーによる導入が可能。
４．ＧＤコイルにより設計サイズまで膨張が可能。
５．コイルを含むのにまた動脈瘤を補強するのに十分な強度。
６．無毒であること。
７．放射線不透過性の目印を有し、位置を監視できること。
８．送込みカテーテルに対してしっかりと取り付けられるが、必要時には取り外せること。
９．繊維芽細胞および内皮細胞が侵入でき、かつその骨組みとして働くこと。
１０．縦形と略球状との間で伸長できること。
【図面の簡単な説明】
【図１】  図１は、頭蓋内動脈瘤の内側にある一般的なＧＤコイルを示す断面図である。
【図２】  図２は、ＧＤコイルで詰められた図１の動脈瘤を示す図である。
【図３】  図３は、頭蓋内動脈瘤の内側にある本発明の第１の態様に係る装置を示す図である。
【図４】  図４は、図３の装置を示す拡大図である。
【図５】  図５は、挿入のためにつぶされた状態の、図３および図４の装置を示す拡大図である。
【図６】  図６は、本発明に係る改良装置を示している。
【図７】  図７は本発明の第２の態様の装置を示している。
【図１】
0004070404.tif 000002
【図２】
0004070404.tif 000003
【図３】
0004070404.tif 000004
【図４】
0004070404.tif 000005
【図５】
0004070404.tif 000006
【図６】
0004070404.tif 000007
【図７】
0004070404.tif 000008